(57)【要約】【課題】自機において作成して記録媒体に記録した情報と、外部から提供を受けて記録媒体に記録した情報との両方を、作成日時情報に基づいて分類の利点を損なわずに、かつ、ネットワーク等を介して入手した情報の分類さえも的確に行うことができるように情報を管理できるようにする。【解決手段】自機内部において生成された内部コンテンツファイルや外部から取得される外部コンテンツファイルを記録手段１０に記録する場合に、少なくとも、内部コンテンツファイルを記録手段に記録する場合には、自機において生成したコンテンツファイルであることを示すオリジナル記録ファイルフラグを当該内部コンテンツファイルに格納して記録媒体１０に記録する。【選択図】図１
2006236381.tif 000002
【特許請求の範囲】
【請求項１】
ファイルの記録を制御する制御手段と、
自機の内部においてコンテンツファイルを生成するファイル生成手段と、
前記ファイル生成手段により生成されたコンテンツファイルが自機において生成されたことを示す自機生成情報を生成する情報生成手段と、
外部からコンテンツファイルを取得するファイル取得手段と、
前記ファイル生成手段により生成された内部コンテンツファイル及び／又は前記ファイル取得手段により取得された外部コンテンツファイルが記録される記録手段と
を備え、
前記制御手段は、前記内部コンテンツファイルに対応する前記自機生成情報を、当該内部コンテンツファイル内に格納して、各コンテンツファイルを前記記録手段に記録する
ことを特徴とする情報処理装置。
【請求項２】
前記情報生成手段は、さらに、前記外部コンテンツファイルが外部から取得されたことを示す外部取得情報を生成するものであり、
前記制御手段は、前記外部コンテンツファイルに対応する前記外部取得情報を、当該外部コンテンツファイル内に格納して、各コンテンツファイルを前記記録手段に記録する
ことを特徴とする請求項１記載の情報処理装置。
【請求項３】
ファイルの記録を制御する制御手段と、
自機の内部においてコンテンツファイルを生成するファイル生成手段と、
前記ファイル生成手段により生成されたコンテンツファイルが自機において生成されたことを示す自機生成情報と、当該コンテンツファイルを参照するための参照情報とを関連付けた管理情報を生成する管理情報生成手段と、
前記情報処理装置の外部からコンテンツファイルを取得するファイル取得手段と、
前記ファイル手段により生成された内部コンテンツファイル及び／又は前記ファイル取得手段により取得された外部コンテンツファイルが記録される記録手段と
を備え、
前記制御手段は、前記内部コンテンツファイルと、前記外部コンテンツファイルと、複数の前記管理情報からなる管理情報ファイルとをそれぞれ別ファイルとして前記記録手段に記録する
ことを特徴とする情報処理装置。
【請求項４】
前記管理情報生成手段は、さらに、前記ファイル取得手段により取得されたコンテンツファイルが外部から取得されたことを示す外部取得情報と、当該コンテンツファイルを参照するための参照情報とを関連付けた管理情報を生成する
ことを特徴とする請求項３記載の情報処理装置。
【請求項５】
自機の内部においてコンテンツファイルを生成するファイル生成工程と、
前記ファイル生成工程において生成したコンテンツファイルが自機において生成されたことを示す自機生成情報を生成する情報生成工程と、
外部からコンテンツファイルを取得するファイル取得工程と、
前記ファイル生成工程において生成した内部コンテンツファイルと前記ファイル取得工程において取得した外部コンテンツファイルとが記録される記録媒体に対して、前記内部コンテンツファイルを記録する場合には、前記内部コンテンツファイルに対応する前記自機生成情報を、当該内部コンテンツファイル内に格納して記録する記録工程と
を有することを特徴とする情報処理方法。
【請求項６】
前記情報生成生成工程においては、さらに、前記外部コンテンツファイルが外部から取得されたことを示す外部取得情報を生成し、
前記記録工程において、前記外部コンテンツファイルを記録する場合には、前記外部コンテンツファイルに対応する前記外部取得情報を、当該外部コンテンツファイル内に格納して、前記記録媒体に記録することを特徴とする請求項５に記載の情報処理方法。
【請求項７】
自機の内部においてコンテンツファイルを生成するファイル生成工程と、
前記ファイル生成工程において生成したコンテンツファイルが自機において生成されたことを示す自機生成情報と、当該コンテンツファイルを参照するための参照情報とを関連付けた管理情報を生成する管理情報生成工程と、
前記情報処理装置の外部からコンテンツファイルを取得するファイル取得工程と、
前記ファイル生成工程において生成した内部コンテンツファイルと、前記ファイル取得工程において取得した外部コンテンツファイルと、前記管理情報生成工程において生成した複数の前記管理情報からなる管理情報ファイルとを、それぞれ別ファイルとして記録媒体に記録する記録工程と
を有することを特徴とする情報処理方法。
【請求項８】
前記管理情報生成工程においては、さらに、前記ファイル取得工程において取得したコンテンツファイルが外部から取得されたことを示す外部取得情報と、当該コンテンツファイルを参照するための参照情報とを関連付けた管理情報を生成する
ことを特徴とする請求項７記載の情報処理方法。
【請求項９】
コンテンツファイルを記録媒体に記録する情報処理装置のコンピュータに、
自機の内部においてコンテンツファイルを生成するファイル生成ステップと、
前記ファイル生成ステップにおいて生成したコンテンツファイルが自機において生成されたことを示す自機生成情報を生成する情報生成ステップと、
外部からコンテンツファイルを取得するファイル取得ステップと、
前記ファイル生成ステップにおいて生成した内部コンテンツファイルと前記ファイル取得ステップにおいて取得した外部コンテンツファイルとが記録される記録媒体に対して、前記内部コンテンツファイルを記録する場合には、前記内部コンテンツファイルに対応する前記自機生成情報を、当該内部コンテンツファイル内に格納して記録する記録ステップと
を実行させるためのプログラムを記録したコンピュータ読取り可能な記録媒体。
【請求項１０】
前記情報生成生成ステップにおいては、さらに、前記外部コンテンツファイルが外部から取得されたことを示す外部取得情報を生成し、
前記記録ステップにおいて、前記外部コンテンツファイルを記録する場合には、前記外部コンテンツファイルに対応する前記外部取得情報を、当該外部コンテンツファイル内に格納して、前記記録媒体に記録する前記プログラムを記録した請求項９に記載のコンピュータ読取り可能な記録媒体。
【請求項１１】
コンテンツファイルを記録媒体に記録する情報処理装置のコンピュータに、
自機の内部においてコンテンツファイルを生成するファイル生成ステップと、
前記ファイル生成ステップにおいて生成したコンテンツファイルが自機において生成されたことを示す自機生成情報と、当該コンテンツファイルを参照するための参照情報とを関連付けた管理情報を生成する管理情報生成ステップと、
前記情報処理装置の外部からコンテンツファイルを取得するファイル取得ステップと、
前記ファイル生成ステップにおいて生成した内部コンテンツファイルと、前記ファイル取得ステップにおいて取得した外部コンテンツファイルと、前記管理情報生成工程において生成した複数の前記管理情報からなる管理情報ファイルとを、それぞれ別ファイルとして記録媒体に記録する記録ステップと
を実行させるためのプログラムを記録したコンピュータ読取り可能な記録媒体。
【請求項１２】
前記管理情報生成ステップにおいては、さらに、前記ファイル取得工程において取得したコンテンツファイルが外部から取得されたことを示す外部取得情報と、当該コンテンツファイルを参照するための参照情報とを関連付けた管理情報を生成する
前記プログラムを記録した請求項９に記載のコンピュータ読取り可能な記録媒体。
【発明の詳細な説明】
【技術分野】
【０００１】
この発明は、例えば、デジタルカメラ、ＰＤＡ（Personal Digital Assistants）、携帯通信端末など、カメラ機能やキー操作部などの情報入力機能を備えるとともに、有線や無線を通じて外部からの情報をも受け付け可能な情報処理装置および取り込んだ情報の分類処理方法に関する。
【背景技術】
【０００２】
デジタルカメラ等の撮像装置で撮影された画像は記録媒体に記録される。記録媒体に記録された画像は、当該撮像装置に備えつけられているＬＣＤ（Liquid Crystal Display）等の表示装置を通じて再生して利用することができるようにされている。さらに、記録媒体に記録されている画像を、サムネイル等の代表画像を用いて表示装置に表示することにより、記録媒体に記録されている複数の画像を一度に確認することもできるようにされている。
【０００３】
しかし、記録媒体の大容量化に伴い、撮像装置で撮影した画像を記録媒体に記録する場合、以前とは格段に多くの画像を記録できるようになった。このため、ユーザーにとって、撮影した画像の中から所望の画像を選択して表示しようとする際、記録媒体に記録された大量の画像の中から所望の画像を抽出することは困難である。
【０００４】
このため、特許文献１（特開平１１−２１５４５７号公報）には、撮影された画像を撮影日時に基づいて分類することにより、記録媒体に記録された画像を管理する手法が提案されている。この技術の場合、撮影日時に基づいて分類されるので、目的とする画像が、おおよそいつ頃撮影したものかの見当がついていれば、迅速な検索が可能となる。また、記録媒体に記録された画像について、その画像の撮影日時を後日知りたい場合等においても有益である。
【特許文献１】特開平１１−２１５４５７号公報
【発明の開示】
【発明が解決しようとする課題】
【０００５】
ところで、ネットワークの発達に伴い撮像装置が、他の撮像装置やパーソナルコンピュータ（以下、ＰＣと略称する。）や種種のサーバーと接続できるようになった。これにより、友人が撮影した画像を自分の撮像装置に取り込んで利用するなどのこともできるようになってきている。
【０００６】
さらに、ネットワーク上のサーバーを通じて公開するようにされている画像をダウンロードして、同様に再生することが出来る。この場合、撮像装置の記録媒体には、独自で撮影した画像と、ネットワークを介して提供を受けた画像等が混在して存在することになる。
【０００７】
このように、自機において撮影した画像と、ネットワークを通じて入手した画像とが記録媒体に混在する場合に、これらの画像を上述した特許文献１に記載の方式により管理すると、当然のことながらネットワークを介して入手した画像についても撮影日時により分類されることになる。
【０００８】
しかしながら、撮像装置のユーザーは、外部機器やネットワークを通じて入手した画像の撮影日時を把握している場合は少なく、また、その必要性もないので、外部機器やネットワークを通じて取得した画像については、予期せぬ日時に画像が分類されることになり、所望の画像の抽出は困難となる。
【０００９】
さらに、分類結果が広範囲に及ぶ場合、たとえば、撮影日時に基づいて画像の分類を行う場合であって、撮影された画像の撮影日時が、数ヶ月間あるいは数年間などのように広範囲にわたる場合には、分類結果を確認するまでに多くの時間を必要とする。
【００１０】
このような問題は、デジタルカメラにおいて画像データを管理する場合だけではなく、自機において生成した情報とネットワーク等を通じて入手した情報等、入手経路の異なる情報を管理しなければならない場合に、必ず生じる問題である。
【００１１】
例えば、ＰＤＡにおいて、自機のキーボードを通じて入力したテキストデータとネットワークを通じて入手したテキストデータとを管理する場合や、携帯電話端末において、自機のキー操作部を通じて情報を入力することにより作成するようにした着信メロディー（いわゆる着メロ）のデータとネットワークを通じて入手した着メロのデータとを管理する場合などにおいて、ネットワークを通じて入手したデータについてもその作成日で管理しようとした場合には、検索がしにくいなどの問題が生じる。
【００１２】
以上のことにかんがみ、この発明は、記録媒体に記録された情報から所望の情報を抽出する際、情報の作成日時に基づいた情報の分類の利点を損なわずに、かつ、ネットワーク等を介して入手した情報の分類さえも的確に行うことができるように情報を管理できるようにすることを目的とする。
【課題を解決するための手段】
【００１３】
上記課題を解決するため、請求項１に記載の発明の情報処理装置は、
ファイルの記録を制御する制御手段と、
自機の内部においてコンテンツファイルを生成するファイル生成手段と、
前記ファイル生成手段により生成されたコンテンツファイルが自機において生成されたことを示す自機生成情報を生成する情報生成手段と、
外部からコンテンツファイルを取得するファイル取得手段と、
前記ファイル生成手段により生成された内部コンテンツファイル及び／又は前記ファイル取得手段により取得された外部コンテンツファイルが記録される記録手段と
を備え、
前記制御手段は、前記内部コンテンツファイルに対応する前記自機生成情報を、当該内部コンテンツファイル内に格納して、各コンテンツファイルを前記記録手段に記録する
ことを特徴とする。
【００１４】
この請求項１に記載の発明の情報処理装置によれば、ファイル生成手段により自機内部において生成された内部コンテンツファイルやファイル取得手段により外部から取得される外部コンテンツファイルを記録手段に記録することができるようにされる。そして、内部コンテンツファイルを記録手段に記録する場合には、制御手段により、情報生成手段によって生成された自機において生成したコンテンツファイルであることを示す自機生成情報が内部コンテンツファイルに格納されて記録手段に記録するようにされる。
【００１５】
これにより、内部コンテンツファイルについては、自機生成情報が必ず格納されているので、内部コンテンツファイルと外部コンテンツファイルとの判別を確実に行うことができると共に、内部コンテンツファイルと外部コンテンツファイルの分類を容易に行うことができるようにされる。
【００１６】
また、請求項３に記載の発明の情報処理装置は、
ファイルの記録を制御する制御手段と、
自機の内部においてコンテンツファイルを生成するファイル生成手段と、
前記ファイル生成手段により生成されたコンテンツファイルが自機において生成されたことを示す自機生成情報と、当該コンテンツファイルを参照するための参照情報とを関連付けた管理情報を生成する管理情報生成手段と、
前記情報処理装置の外部からコンテンツファイルを取得するファイル取得手段と、
前記ファイル手段により生成された内部コンテンツファイル及び／又は前記ファイル取得手段により取得された外部コンテンツファイルが記録される記録手段と
を備え、
前記制御手段は、前記内部コンテンツファイルと、前記外部コンテンツファイルと、複数の前記管理情報からなる管理情報ファイルとをそれぞれ別ファイルとして前記記録手段に記録する
ことを特徴とする。
【００１７】
この請求項３に記載の発明の情報処理装置によれば、ファイル生成手段により自機内部において生成された内部コンテンツファイルやファイル取得手段により外部から取得される外部コンテンツファイル、さらには、管理情報生成手段により生成された自機生成情報と参照情報とを関連付けた管理情報からなる管理情報ファイルが、制御手段により、それぞれ異なるファイルとして記録手段に記録される。
【００１８】
これにより、管理情報ファイルには、自機生成情報と参照情報とを対応付けた管理情報を多数集めいて一括管理することができるので、管理情報ファイルを参照すれば、どのファイルが内部コンテンツファイルであるかを迅速に特定することができるなど、少なくとも内部コンテンツデータのサーチの時間を格段に短縮することができるなどのことが実現される。
【発明の効果】
【００１９】
この発明によれば、自機において作成（生成）するようにしたデータと、外部から入手したデータとを記録媒体に混在して記録し管理する場合の適切な手法を提供することができる。そして、分類処理やサーチ処理の利便性の向上や高速化の向上を実現することができる。
【発明を実施するための最良の形態】
【００２０】
以下、図を参照しながらこの発明による装置、方法の一実施の形態について説明する。以下に説明する実施の形態においては、この発明による装置、方法を静止画像と動画との撮影が可能なデジタルカメラである撮像装置に適用した場合を例にして説明する。
【００２１】
[撮像装置の構成と基本動作について]
図１は、この実施の形態の撮像装置を説明するためのブロック図である。この実施の形態の撮像装置は、図１に示すように、大きく分けると、カメラ部１と、カメラＤＳＰ（Digital Signal Processor）２と、ＳＤＲＡＭ（Synchronous Dynamic Random Access Memory）３と、媒体インターフェース（以下、媒体Ｉ／Ｆという。）４と、制御部５と、操作部６と、ＬＣＤ（Liquid Crystal Display）コントローラ７と、ＬＣＤ８と、外部インターフェース（以下、外部Ｉ／Ｆという。）９を備えるとともに、記録媒体１０が着脱可能とされている。
【００２２】
記録媒体１０は、半導体メモリーを用いたいわゆるメモリーカード、記録可能なＤＶＤ（Digital Versatile Disk）や記録可能なＣＤ（Compact Disc）等の光記録媒体、磁気ディスクなどの種々のものを用いるようにすることが考えられるが、この実施の形態においては、記録媒体１０として例えばメモリーカードを用いるものとして説明する。
【００２３】
そして、カメラ部１は、図１に示すように、光学ブロック１１、ＣＣＤ（Charge Coupled Device）１２、前処理回路１３、光学ブロック用ドライバ１４、ＣＣＤ用ドライバ１５、タイミング生成回路１６とを備えたものである。ここで、光学ブロック１１は、レンズ、フォーカス機構、シャッター機構、絞り（アイリス）機構などを備えたものである。
【００２４】
また、制御部５は、ＣＰＵ（Central Processing Unit）５１、ＲＡＭ（Random Access Memory）５２、フラッシュＲＯＭ（Read Only Memory）５３、時計回路５４が、システムバス５５を通じて接続されて構成されたマイクロコンピュータであり、この実施の形態の撮像装置の各部を制御することができるものである。
【００２５】
ここで、ＲＡＭ５２は、処理の途中結果を一時記憶するなど主に作業領域として用いられるものである。また、フラッシュＲＯＭ５３は、ＣＰＵ５１において実行する種々のプログラムや、処理に必要になるデータなどが記憶されたものである。また、時計回路５４は、現在年月日、現在曜日、現在時刻を提供することができるとともに、カレンダー機能をも備えたものであり、撮影日時などを提供するなどのことができるものである。
【００２６】
そして、画像の撮影時においては、光学ブロック用ドライバ１４は、制御部５からの制御に応じて、光学ブロック１１を動作させるようにする駆動信号を形成し、これを光学ブロック１１に供給して、光学ブロック１１を動作させるようにする。光学ブロック１１は、ドライバ１４からの駆動信号に応じて、フォーカス機構、シャッター機構、絞り機構が制御され、被写体の画像を取り込んで、これをＣＣＤ１２に対して提供する。
【００２７】
ＣＣＤ１２は、光学ブロック１１からの画像を光電変換して出力するものであり、ＣＣＤドライバ１５からの駆動信号に応じて動作し、光学ブロック１１からの被写体の画像を取り込むとともに、制御部５によって制御されるタイミング生成回路１６からのタイミング信号に基づいて、取り込んだ被写体の画像（画像情報）を電気信号として前処理回路１３に供給する。
【００２８】
なお、上述のように、タイミング生成回路１６は、制御部５からの制御に応じて、所定のタイミングを提供するタイミング信号を形成するものである。また、ＣＣＤドライバ１５は、タイミング生成回路１６からのタイミング信号に基づいて、ＣＣＤ１２に供給する駆動信号を形成するものである。
【００２９】
前処理回路１３は、これに供給された電気信号の画像情報に対して、ＣＤＳ（Correlated Double Sampling）処理を行って、Ｓ／Ｎ比を良好に保つようにするとともに、ＡＧＣ（Automatic Gain Control）処理を行って、利得を制御し、そして、Ａ／Ｄ（Analog/Digital）変換を行って、デジタル信号とされた画像データを形成する。
【００３０】
前処理回路１３からのデジタル信号とされた画像データは、ＤＳＰ２に供給される。ＤＳＰ２は、これに供給された画像データに対して、ＡＦ（Auto Focus）、ＡＥ（Auto Exposure）、ＡＷＢ（Auto White Balance）などのカメラ信号処理を施す。このようにして種々の調整がされた画像データは、所定の圧縮方式でデータ圧縮され、システムバス５５、媒体Ｉ／Ｆ４を通じて、この実施の形態の撮像装置に装填された記録媒体１０に供給され、後述もするように記録媒体１０にファイルとして記録される。
【００３１】
また、記録媒体１０に記録された画像データは、タッチパネルやコントロールキーなどからなる操作部６を通じて受け付けたユーザーからの操作入力に応じて、目的とする画像データが媒体Ｉ／Ｆ４を通じて記録媒体１０から読み出され、これがＤＳＰ２に供給される。
【００３２】
ＤＳＰ２は、記録媒体１０から読み出され、媒体Ｉ／Ｆ４を通じて供給されたデータ圧縮されている画像データについて、そのデータ圧縮の解凍処理（伸張処理）を行い、解凍後の画像データをシステムバス５５を通じて、ＬＣＤコントローラ７に供給する。ＬＣＤコントローラ７は、これに供給された画像データからＬＣＤ８に供給する画像信号を形成し、これをＬＣＤ８に供給する。これにより、記録媒体１０に記録されている画像データに応じた画像が、ＬＣＤ８の表示画面に表示される。
【００３３】
なお、画像の表示の形態は、ＲＯＭに記録された表示処理プログラムに従う。つまり、この表示処理プログラムは後述するファイルシステムがどのような仕組みで記録されているのか、どのように画像を再生するのかというプログラムである。
【００３４】
また、この実施の形態の撮像装置には、外部Ｉ／Ｆ９が設けられている。この外部Ｉ／Ｆ９を通じて、例えば外部のパーソナルコンピュータと接続して、パーソナルコンピュータから画像データの供給を受けて、これを自機に装填された記録媒体に記録したり、また、自機に装填された記録媒体に記録されている画像データを外部のパーソナルコンピュータ等に供給したりすることもできるものである。
【００３５】
また、外部Ｉ／Ｆ９に通信モジュールを接続することにより、例えば、インターネットなどのネットワークに接続して、ネットワークを通じて種々の画像データやその他の情報を取得し、自機に装填された記録媒体に記録したり、あるいは、自機に装填された記録媒体に記録されているデータを、ネットワークを通じて目的とする相手先に送信したりすることもできるものである。
【００３６】
また、外部のパーソナルコンピュータやネットワークを通じて取得し、記録媒体に記録した画像データなどの情報についても、上述したように、この実施の形態の撮像装置において読み出して再生し、ＬＣＤ８に表示してユーザーが利用することももちろんできるようにされている。
【００３７】
なお、外部Ｉ／Ｆ９は、ＩＥＥＥ（Institute of Electrical and Electronics Engineers）１３９４、ＵＳＢ（Universal Serial Bus）などの有線用インターフェースとして設けることも可能であるし、光や電波による無線インターフェースとして設けることも可能である。すなわち、外部Ｉ／Ｆ９は、有線、無線のいずれのインターフェースであってもよい。
【００３８】
このように、この実施の形態の撮像装置は、被写体の画像を撮影して、当該撮像装置に装填された記録媒体に記録することができるとともに、記録媒体に記録された画像データを読み出して、これを再生し、利用することができるものである。また、外部のパーソナルコンピュータやネットワークを通じて、画像データの提供を受けて、これを自機に装填された記録媒体に記録したり、また、読み出して再生したりすることもできるものである。
【００３９】
そして、この実施の形態の撮像装置においては、当該撮像装置において撮影することにより得て記録媒体に記録した画像データと、外部から提供を受けて記録媒体に記録した画像データとの両方を一元的に管理し、目的とする画像の画像データを簡単かつ迅速に検索できるように分類処理して、その分類結果をユーザーに提供できるようにしている。
【００４０】
すなわち、この実施の形態の撮像装置においては、当該撮像装置において撮影して記録媒体に記録した画像の画像データと、外部から提供を受けて記録媒体に記録した画像の画像データとのそれぞれを、明確に区別できるようにして記録媒体に記録しておく。
【００４１】
そして、当該撮像装置において撮影して記録媒体に記録した画像の画像データと外部から提供を受けて記録媒体に記録した画像の画像データとの両方について、それらを混在させて一元的に管理できるように分類するが、当該撮像装置において撮影した画像の画像データと、外部から提供を受けた画像の画像データとでは、分類に用いるキー情報を異ならせるようにしている。
【００４２】
具体的には、当該撮像装置において撮影することにより取り込み、ファイルとして記録媒体に記録した画像データについては、当該ファイルの作成日に関する情報を分類キー情報として用い、また、外部から提供を受けて取り込み、ファイルとして記録媒体に記録した画像データについては、その画像データを当該撮像装置において取得した取得日に関する情報を分類キーとして用いて分類を行う。
【００４３】
ここで、ファイルの作成日に関する情報は、そのファイルが生成された日に関する情報であり、この実施の形態においては、そのファイルに画像データとして記録された画像の撮影日に関する情報と等価なものである。そして、ファイルの作成日に関する情報、すなわち、撮影日に関する情報は、撮影年月日、撮影時刻、撮影曜日などの撮影日に関する種々の情報を含む概念であるが、この実施の形態においては、ファイルの作成日に関する情報として、撮影日時（撮影年月日および撮影時刻）を用いるようにしている。
【００４４】
また、この実施の形態において、画像データの取得日に関する情報は、撮影処理は伴わず、外部機器やネットワークを通じて提供されて、ファイルとして記録媒体に記録された画像データについてのこの撮像装置においての取得日に関する情報であり、取得年月日、取得時刻、取得曜日などの取得日に関する種々の情報を含む概念であるが、この実施の形態においては、取得日時（取得年月日および取得時刻）を用いるようにしている。
【００４５】
したがって、この実施の形態の撮像装置で撮影することにより記録媒体に記録されたされたものではなく、外部から提供を受けて記録媒体に記録された画像データについては、その画像データの実際の撮像日に関する情報の他、この実施の形態の撮像装置においての当該画像データの取得日に関する情報によっても管理することができるようにされる。
【００４６】
このように、外部機器やネットワークを通じて提供を受けた画像データについて、その撮影日に関する情報ではなく、その画像データのこの撮像装置においての取得日に関する情報を分類キーとするのは、次の理由による。
【００４７】
すなわち、外部から提供を受けた画像データについては、その画像データによる画像の実際の撮影日をこの実施の形態の撮像装置のユーザーが関知していることは少なく、外部から提供を受けた画像データについてもその実際の撮影日を分類キーとして用いて分類処理を行った場合に、ユーザーの全く関知しない日時に分類されてしまうためである。このため、外部から提供を受けた画像データについては、その画像データによる画像の実際の撮影日時ではなく、その外部から提供を受けた画像データのこの撮像装置における取得日時を分類キーとして用いるようにしているのである。
【００４８】
したがって、当該撮像装置において撮影して得た画像データについては当該撮像装置においての撮影日時を用い、外部から提供を受けた画像データについては当該撮像装置においての取得日時を用いて分類処理を行うが、いずれの場合も、当該撮像装置において、最初にその画像データを取り込んで記録媒体に記録するようにした日時を示すものであり、当該撮像装置のユーザー自身が認識し、関知している情報である。
【００４９】
このように、当該撮像装置における画像データを最初に取り込んだ日時を分類キー情報とすることにより、外部から提供を受けた画像データが意図しない日に分類され、目的とする画像の画像データを探し出すのに時間がかかってしまうなどの不都合を防止するようにしている。
【００５０】
[画像データの管理情報の管理方式について]
そして、記録媒体に記録された画像データのそれぞれについて、自機において撮影したものか否かを示す情報や撮影日時や取得日時を示す情報などの画像データについての管理情報の管理は、撮像装置で用いるファイルシステムにもよるが、大きく分けると以下の２つの管理方式がある。
【００５１】
１つは、ファイルとして記録媒体に記録された画像データのそれぞれに対してその画像データについての管理情報を付加し、各画像データのファイル（画像データファイル）において、画像データと管理情報とを一体に管理する方式である。もう１つは、記録媒体に複数のファイルとして記録されている複数の画像データの管理情報を、画像データのファイル（画像データファイル）とは分離して一括管理する方式である。
【００５２】
以下においては、この実施の形態の撮像装置において行われる分類処理、分類結果の表示処理の具体的な説明をする前に、記録媒体に記録した画像データの管理情報についての２つの管理方式のそれぞれについて説明する。
【００５３】
［画像データと管理情報との一体管理方式について］
まず、ファイルとして記録媒体に記録される画像データのそれぞれに対してその画像データの管理情報を付加し、各画像データファイルにおいて、画像データと管理情報とを一体に管理する方式について説明する。図２は、画像データとその管理情報とを一体に管理する方式を説明するための図である。
【００５４】
ここでは、図２に示すように、記録媒体１０には、画像データファイルとして、静止画ファイルＡ、静止画ファイルＢ、動画ファイルＣが記録されているものとする。静止画ファイルＡ、静止画ファイルＢのそれぞれには、静止画像データの他、少なくとも、オリジナル記録ファイルフラグａと、撮影日時情報ｂと、修正日時情報ｃと、サムネイルデータｄとが定義されている。同様に、動画ファイルＣには、動画像データの他、オリジナル記録ファイルフラグａと、撮影日時情報ｂと、修正日時情報ｃと、サムネイルデータｄとが定義されている。
【００５５】
ここで、オリジナル記録ファイルフラグａは、当該画像データファイルがこの撮像装置により撮影されて記録媒体に記録されたものか否かを示すものである。この実施の形態においては、オリジナル記録ファイルフラグａが、「１」の場合には、この撮像装置により撮影することにより得た画像データのファイルであることを示し、「０」の場合には、この撮像装置により撮影されたのではない、すなわち、外部から提供を受けた画像データのファイルであることを示すものとする。
【００５６】
また、撮影日時情報は、この撮像装置により撮影されることにより取り込まれ、記録媒体に記録された画像データの撮影日時を示すものである。また、修正日時情報は、その画像データの修正処理が行われた日時を示すものである。しかし、後述もするが、この実施の形態においては、外部から提供された画像データの場合には、修正日時情報ｃは、その画像データをこの撮像装置が取得した日時である取得日時を示すものとして用いるようにしている。
【００５７】
また、サムネイルデータｄは、撮影することにより得た画像データ、あるいは、外部機器やネットワークを通じて得た外部からの画像データ等のいわば主となる画像データにより形成される画像の縮小画像を形成するための画像データであり、１種類に限らず複数の縮小画像を持つこともできるようにしている。
【００５８】
そして、上述もしたように、オリジナル記録ファイルフラグａ、撮影日時情報ｂ、修正日時情報ｃ、サムネイルデータｄ等は、各ファイル内に定義するようにされている。したがって、記録媒体に記録されている画像データの中から、目的とする画像データを検索するなどのために、撮影日時によって画像データを分類しようとする場合には、通常、各画像データファイルのそれぞれの管理情報の撮影日時情報に基づいて分類処理が行なわれることになる。
【００５９】
なお、ファイルのどの部分に撮影日時情報などの必要な情報が記録されているかは、前述したように、この撮像装置の例えばフラッシュＲＯＭ５３に記録されているプログラムに従い、撮影日時情報などの目的とする情報が参照するようにされて、分類処理が行われる。
【００６０】
［管理情報の一括管理方式について］
次に、画像データの管理情報についてのもう１つの管理方式である、記録媒体に複数のファイルとして記録されている複数の画像データのそれぞれの管理情報を、画像データファイルとは分離して一括管理する方式について説明する。図３は、この一括管理方式の概要について説明するための図である。
【００６１】
図３に示すように、この例の場合においても、記録媒体１０には、ＡＶ（Audio/Visual）管理情報１０１、静止画ファイルＡ、静止画ファイルＢ、動画像ファイルＣが記録されているものとする。この一括管理方式の場合には、図３において、ＡＶ管理情報１０１が示すように、各画像データの管理情報は、画像データファイルＡ、Ｂ、Ｃとは別ファイルにおいて管理され、ＡＶ管理情報と画像データファイルとは予め決められるポインタによって結びつけられるようにしている。
【００６２】
図４は、ＡＶ管理情報の一例を説明するための図である。この例の場合には、ＡＶ管理情報は、タイトルファイル１０１ａと、サムネイルファイル１０１ｂと、プロパティファイル１０１ｃとを含んでいる。これらの各ファイルには、ファイルとして記録されている画像データに対する種々の情報がエントリ情報（登録情報）として保持するようにされている。
【００６３】
タイトルファイル１０１ａに登録されているタイトルエントリ０、１、２、…のそれぞれは、ファイルとして記憶されている画像データのそれぞれについてのコメント、メモ、注記などといった例えばユーザーにより入力するようにされたテキストデータを保持する。
【００６４】
また、サムネイルファイル１０１ｂに登録されているサムネイルエントリ０、１、２、…のそれぞれは、ファイルとして記憶されている画像データにより形成される画像の縮小画像データであり、１種類に限らず複数の縮小画像を持つようにすることも可能なものである。
【００６５】
また、プロパティファイル１０１ｃに登録されているプロパティエントリ０、１、２、…のそれぞれは、ファイルとして記憶されている画像データのそれぞれについての種々の管理情報を保持するものである。そして、各プロパティエントリのそれぞれには、図４において、プロパティエントリｎ部分に示したように、少なくとも、ファイルポインタＰｔ、オリジナル記録ファイルフラグａａ、撮影日時情報ｂｂ、修正日時情報ｃｃが含まれるようにされる。
【００６６】
ファイルポインタＰｔは、当該プロパティエントリに対応する画像データファイルを特定するための情報である。また、オリジナル記録ファイルフラグａａは、図２に示したオリジナル記録ファイルフラグａと同様に、この撮像装置において撮影されて記録媒体に記録された画像データか否かを示すものである。この例においても、オリジナル記録ファイルフラグａａが、「１」の場合には、この撮像装置により撮影された画像データのファイルであることを示し、「０」の場合には、この撮像装置により撮影されたのではない画像データのファイルであることを示す。
【００６７】
また、撮影日時情報ｂｂは、図２に示した撮影日時情報ｂと同様に、この撮像装置において撮影することにより取り込まれ、記録媒体に記録された画像データの撮影日時を示すものである。修正日時情報ｃｃは、図２に示した修正日時情報ｃと同様に、その画像データの修正処理が行われた日時を示すものである。しかし、後述もするが、外部から提供された画像データの場合には、修正日時情報ｃは、その画像データをこの撮像装置が取得した日時である取得日時を示すものとして用いるようにされる。
【００６８】
そして、画像データファイル１つに対しては、ＡＶ管理情報として、タイトルエントリとサムネイルエントリとプロパティエントリとを設けることができるようにされる。各画像データファイルのそれぞれと、タイトルエントリ、サムネイルエントリとは、プロパティエントリを介して間接的に関連付けられている。
【００６９】
したがって、図４に示した例の場合には、静止画ファイルＡに対しては、ＡＶ管理情報として、タイトルエントリｎ、サムネイルエントリｎ、プロパティエントリｎが設けられ、静止画ファイルＢに対しては、タイトルエントリ２、サムネイルエントリ２、プロパティエントリ２が設けられている。同様に、動画ファイルＣに対しては、タイトルエントリｎ＋１、サムネイルエントリｎ＋１、プロパティエントリｎ＋１が設けられている。
【００７０】
そして、画像データについての管理情報の一括管理方式を用いている場合であって、記録媒体に記録されている画像データの中から、目的とする画像データを検索するなどのために、撮影日時によって画像データを分類しようとする場合には、各画像データファイルに直接アクセスしなくても、ＡＶ管理情報の１つであるプロパティファイルの各プロパティエントリの情報を参照することにより、分類処理を行うことができるようにされる。
【００７１】
具体的には、撮影日時により記録媒体に記録されている画像情報をサーチする場合には、ＣＰＵにより、プロパティファイルの情報が参照され、画像の撮影日時がサーチされ分類するようにされる。この後、プロパティファイル上の撮影日時情報を含むプロパティエントリが指し示す画像データファイルの画像データによる画像、あるいは、サムネイルエントリのサムネイルデータによる縮小画像が、分類結果に応じてＬＣＤ８に表示するようにされる。
【００７２】
このように、記録媒体に記録した画像データについての管理情報を、画像データファイルとは別個に設けることにより、画像データファイルの検索、サーチの時間が格段に短縮される。このことは、記録媒体として、ＤＶＤ等の光ディスク媒体を用いた場合を想定すると、容易に理解できる。
【００７３】
つまり、図２を用いて説明した各画像データファイルのそれぞれが画像データについての管理情報を有する場合には、画像の撮影日時をサーチする際、それぞれの画像データファイル毎に撮影日時をサーチしなければならない。このため、記録媒体が例えばＤＶＤ等の光ディスクの場合であって、複数の画像データファイルがＤＶＤ上に点在する場合には、目的とする画像データファイルにアクセスするために、光学ピックアップをＤＶＤ上の目的とするファイルの記録位置に位置付けるためのいわゆるシーク動作が必要となる。
【００７４】
このシーク動作は実際に光ピックアップの移動を伴うためにある程度の時間がかかるため、実際の分類処理にはシーク時間を含んだ時間がかかることになる。また、このことは、ＤＶＤ等の光ディスクほど顕著ではないものの、半導体メモリーを記録媒体として用いた場合であっても、複数の画像ファイルをアドレス位置が飛び飛びとなるように記録したような場合には、アクセス処理におけるロスにつながる可能性がある。
【００７５】
しかし、図３、図４に示したように、ＡＶ管理情報を画像データファイルとは別のファイルで管理することにより、撮影日時情報などの管理情報が一元的に管理されるので、サーチに要する時間は図２を用いて説明した画像データと管理情報との一体管理方式の例に比べて短縮される。
【００７６】
このように、記録媒体に記録される画像データについての管理情報は、図２に示したように、画像データファイルにおいて、画像データとその管理情報とを一体に管理したり、あるいは、図３、図４に示したように、画像データファイルとは、別個に管理情報だけを一括して管理したりすることができるようにされる。
【００７７】
[外部からの画像データの取得とその管理について]
そして、上述もしたように、図１に示したこの実施の形態の撮像装置の場合には、外部Ｉ／Ｆ９を介して外部機器に接続し、他の機器で撮影された画像情報やＷＥＢ上で公開されている画像の画像データの提供を受けて、これを自機に装填された記録媒体１０に記録することができるようにされている。
【００７８】
すなわち、この実施の形態の撮像装置に装填される記録媒体上には自機で撮影した画像の画像データと、他の機器から入手した画像の画像データとが混在する場合が生じる。この場合に、記録媒体に記録された画像データを撮影日時により分類する際、ユーザーは他の機器より入手した画像の撮影日時を知ることは上述もしたように通常困難であること、またその必要性も希薄であるので、他の機器より入手した画像データによる画像が予期せぬ日時に分類され、目的とする画像の検索に混乱を生じさせかねない。
【００７９】
これを解決するため、この実施の形態の撮像装置においては、図２、図４を用いて説明した記録媒体に記録した画像の管理情報の１つであるオリジナル記録ファイルフラグと、修正日時情報とを利用する。
【００８０】
すなわち、外部Ｉ／Ｆ９を通じて、外部機器やネットワークを通じて提供された画像データを取り込んで、記録媒体に記録する場合、制御部５は、外部から提供を受けた画像データのオリジナル記録ファイルフラグａ、ａａを「０」にする。もちろん、自機において撮影することにより取り込んだ画像データのオリジナル記録ファイルフラグａ、ａａは「１」にする。これにより、記録媒体にファイルとして記録した画像データのそれぞれについて、自機において撮影したものか、外部Ｉ／Ｆ９を通じて外部から提供を受けたものかを明確に区別できるようにする。
【００８１】
さらに、外部Ｉ／Ｆ９を通じて、外部機器やネットワークを通じて提供された画像データを取り込んで、記録媒体に記録する場合、制御部５は、外部から提供を受けた画像データの修正日時情報ｃ、ｃｃに、撮像装置がその画像データを取得した日時を記録するようにする。
【００８２】
すなわち、この実施の形態の撮像装置においては、カメラ部１を通じて撮影を行う場合には、操作部６を通じて当該撮像装置をカメラモードに切り換えられる。また、外部Ｉ／Ｆを通じて提供される画像データを記録媒体に記録する場合には、カメラモードではない、例えば、外部記録モードにされ、かつ、外部Ｉ／Ｆ９に外部機器等が接続される。
【００８３】
このため、撮像装置の制御部５は、カメラモード時において、撮影を行った場合には、取り込んだ画像データを記録する場合に、そのオリジナル記録ファイルフラグには、「１」をセットし、撮影日時情報に時計回路５４から取得する現在日時を示す情報をセットするようにする。
【００８４】
また、撮像装置の制御部５は、外部記録モード時において、外部Ｉ／Ｆ９を通じて取り込んだ画像データを記録する場合に、そのオリジナル記録ファイルフラグには、「０」をセットし、修正日時情報に時計回路５４から取得する現在日時を示す情報をセットするようにする。
【００８５】
このようにすることによって、この実施の形態の撮像装置で撮影することにより得た画像データと、外部Ｉ／Ｆを通じて得た画像データとのそれぞれを明確に分けることができるとともに、この撮像装置に取り込んだ日時を確実に把握することができるようにされる。
【００８６】
そして、従来の分類処理のように撮影日時に基づいて分類処理を行うようにする場合、この実施の形態の撮像装置においては、この撮像装置において撮影して得た画像データ（オリジナル記録ファイルフラグが「１」である画像データ）については、撮影日時情報ｂ、ｂｂに基づいて分類処理を行うが、外部Ｉ／Ｆ９を通じて外部から取得した画像データ（オリジナル記録ファイルフラグが「０」である画像データ）については、修正日時情報ｃ、ｃｃに基づいて分類処理を行う。
【００８７】
なお、この実施の形態の撮像装置は、図２を用いて説明した画像データとその管理情報とを一体として管理する方式と、図３、図４を用いて説明した画像データとその管理情報とを分離し、管理情報は管理情報だけで他の画像データの管理情報とともに一括管理する方式とのどちらをも用いることができるものである。しかし、迅速な分類処理を行うため、この実施の形態の撮像装置においては、図３、図４を用いて説明した管理情報を画像データとは分離して一括管理する方式を用いるものとする。
【００８８】
[記録媒体に記録された画像データの分類処理について]
次に、記録媒体にファイルとして記録されている画像データを撮影日時情報に基づいて分類する際の一連の処理の流れについて、図５のフローチャートを参照しながら説明する。図５に示す処理は、制御部５において実行される処理である。
【００８９】
この実施の形態の撮像装置に装填された記録媒体１０に記録されている画像を撮影日時情報に基づいて分類する場合には、制御部５のＣＰＵ５１は、まず、ＡＶ管理情報であるプロパティファイルの各プロパティエントリのオリジナル記録ファイルフラグａａを参照し、これが「０」であるか「１」であるかを判断する（ステップＳ１）。
【００９０】
ＣＰＵ５１は、ステップＳ１の判断処理において、オリジナル記録ファイルフラグが、「０」であると判断した画像データについては、その修正日時情報を参照し（ステップＳ２）、また、オリジナル記録ファイルフラグが、「１」であると判断した画像データについては、その撮影日時情報を参照し（ステップＳ３）、この参照した日時情報を分類キーとして用いて分類処理を行う（ステップＳ４）。
【００９１】
そして、ＣＰＵ５１は、分類結果をユーザーに対して分かりやすく提供するため、詳しくは後述もするが、分類結果をカレンダー情報などの日付画像情報とともにＬＣＤ８に表示することにより、ユーザーに対して提供するようにし（ステップＳ５）、この図５に示す処理を終了する。
【００９２】
これにより、記録媒体に記録された画像データを撮影日時情報で分類するようにする場合に、外部機器やネットワークを介して得た画像データが予期せぬ日付に分類されることがなくなり、記録媒体に記録した画像データをこの撮像装置に最初に取り込んだ日時（画像を入手するようにユーザーが意図（決意）した日時）である撮影日時または取得日時に基づいて、すなわち、ユーザーの関知する日時情報に基づいて、画像データを分類処理することができるようになる。
【００９３】
したがって、外部機器やネットワークを介して得た画像データが予期せぬ日付に分類されることがないので、目的とする画像を検索する場合などに混乱を生じさせるなどのこともないようにされる。また、カレンダー情報などの日付画像情報とともに分類結果を表示することにより、画像の分類結果を視覚的に容易に確認することができるようになる。
【００９４】
[分類結果のユーザーへの提供について]
次に、分類結果の表示例について説明する。図６は、２週間分の日付画像情報（カレンダー情報）上に分類結果を表示するようにした分類結果提供画像の一例を説明するための図である。
【００９５】
図６に示す例の場合には、ＬＣＤ８の表示画面上に、２週間分の日付画像情報８１を表示するとともに、日付画像情報８１において、各日付欄にはその日付欄の日付に対応する日時情報を持った画像データが存在する場合には、これを示す代表画像（サムネイル画像、アイコン画像等）が表示される。図６に示した例の場合には、１日、６日、９日、１２日の各日付欄には、その日付において取得された画像データがあることを示す代表画像Ｇ１、Ｇ２、Ｇ３、Ｇ４が表示されている。
【００９６】
そして、図６に示した例においては、代表画像Ｇ１、Ｇ２、Ｇ３のそれぞれは、この実施の形態の撮像装置により、表示されている日付欄に対応する日に撮影されることにより取り込まれた画像データが記録媒体に記録されていることを示すものであり、代表画像Ｇ４は、表示されている日付欄に対応する日に外部Ｉ／Ｆ９を通じて外部から取り込まれた画像データが記録媒体に記録されていることを示すものである。
【００９７】
なお、１２日に取り込まれた画像データは、外部から取り込まれた画像データだけではなく、自機において撮影することにより得た画像データをも含む場合もあるが、１枚でも外部から取り込まれた画像データがある場合には、図６のＧ４に示した態様で外部から取り込まれた画像データが記録媒体に存在することを示すようにしている。
【００９８】
この場合、代表画像Ｇ４により代表される外部から提供された画像データが、実際には、３日に撮影された画像であるとすると、図６において、３日の日付欄に点線で示したように、代表画像Ｇ４Ｘが表示されるのが従来の手法である。しかし、この実施の形態の撮像装置においては、その画像データを取得した日時（入手した日時）に基づいて分類されるので、この例では１月１２日に代表画像Ｇ４が表示されることになる。
【００９９】
なお、代表画像は、図６に示した例のように、日付画像情報の対応する日付欄に関連する画像情報が存在することを示すアイコンでもよいし、対応する画像のサムネイル画像でもよい。サムネイル画像の場合には、図４を用いて説明したサムネイルエントリのサムネイル画像が用いられる。また、管理情報の管理方式が、図２を用いて説明した方式である場合には、図２に示したサムネイルデータが用いられることになる。
【０１００】
また、同じ画像について、解像度の異なる複数のサムネイル画像データが存在する場合には、必要に応じた解像度のサムネイル画像が選択されて表示される。さらに、代表画像としてアイコンを表示する場合には、図６の例のように、その画像がこの実施の形態の撮像装置で撮影されたか、他の機器により入手されたかを区別するように色分けして表示してもよいし、単に日付画像情報の日付に関連した画像が記録媒体に記録されていることを示すアイコンのみを表示するようにしてもよい。
【０１０１】
また、図６において、上矢印マーク８ｕｐ、下矢印マーク８ｄｗは、図１に示した操作部６の例えば十字キーや矢印キーにより日付画像情報８１の表示日付（表示範囲）を変更する際、操作可能な方向を示すアイコンである。図６に示した表示状態で十字キーの下方向が指示されると、ＬＣＤ８には例えば図６で示されている日付画像情報８１が、例えば、次の２週間分にスクロールされる。つまり、現在は表示画面に表示されていない次の２週間分の分類結果が、表示画面に表示されるように、画面送り（画面表示送り）がされる。
【０１０２】
また、図６において、カーソルＣＳは、目的とする日付欄を選択し指示するための指示子であり、目的とする日付欄に分類された画像の詳細を確認する場合などにおいて、その目的とする日付欄を指示する場合などに用いられる。
【０１０３】
次に、カーソルＣＳにより指示された日付欄に分類された画像の詳細を確認する場合の画像の表示例を説明する。図７は、カーソルＣＳを通じて指示するようにされた日付欄に分類されている画像を確認する場合の画像の表示例を説明するための図である。
【０１０４】
この図７に示す表示例の場合には、図６に示したように、カーソルＣＳを通じて指示された日付欄に分類されている複数の画像がＬＣＤ８の表示画面上に表示される。この図７に示す例の場合には、２０ＸＸ年１月１２日（金）にこの実施の形態の撮像装置により撮影された画像、及び外部Ｉ／Ｆ９を通じて外部機器から入手した画像が少なくとも４枚あることを示している。
【０１０５】
この例ではＬＣＤ８の下側に、指示された日付に分類された画像のサムネイル画像ＧＧ１、ＧＧ２、ＧＧ３、ＧＧ４が表示されている。さらに、カーソルＣＳが位置付けられたサムネイル画像については、そのサムネイル画像より解像度の高い画像ＧＧ５としてＬＣＤ８の表示画面に表示するようにされる。
【０１０６】
このような構成をとることにより、目的とする画像をＬＣＤ８の表示画面の下側部分に表示されるサムネイル画像を通じて選択し、その選択した画像をより高解像度の画像ＧＧ５として表示して、ユーザーが確認し、選択することができるようにされる。
【０１０７】
また、図７に示した例の場合には、ＬＣＤ８の下側部分に表示される各サムネイル画像の下に撮影時刻あるいは受信時刻が表示され、全体として撮影時刻の早い順に左から表示するようにされている。ここで、表示されるサムネイルは、図４に示したサムネイルエントリに保持されているものである。なお、画像データの管理情報が図２に示した方式で管理されている場合には、図２に示したサムネイルデータｄが用いられることになる。
【０１０８】
また、同じ画像について、解像度の異なる複数のサムネイル画像データを所有している場合には、必要に応じた解像度のサムネイル画像が選択されて表示される。このように、解像度の異なる複数のサムネイル画像を予め所有している場合には、解像度変換する時間が短縮できるので、ＬＣＤ８の下側に並べて表示されるサムネイル画像を選択した場合であっても、ＬＣＤ８の上側に表示するサムネイル画像ＧＧ５の表示を素早く行うことができる。
【０１０９】
さらに、この実施の形態の撮像装置においては、分類結果をＬＣＤ８の表示画面に表示してユーザーに提供する場合に、表示制御を工夫することにより、ユーザーにとってより利便性のよい態様で分類結果を提供できるようにしている。
【０１１０】
この実施の形態の撮像装置の場合には、図６に示したように、ＬＣＤ８の表示画面には、２週間分の分類結果を表示することができるようにされる。この場合に、図８に示すように、例えば、１３日（土）から２９日（月）までの各日付に分類された画像データはなかった場合を考える。実際問題として、毎日画像を撮影したり、外部機器から画像データを取得したりするユーザーは少ないと考えられるので、このように、連続する複数の日に渡って、記録された画像データが分類されないようなケースが発生することが想定される。
【０１１１】
そして、画像データが分類されていない期間についても、画像データが分類されている日を含む期間と同じように表示処理を行っていたのでは、ユーザーにとっては、無駄に日付画像情報だけが提供される場合が生じ、目的とする画像の検索に時間がかかるなどの不都合を生じかねない。
【０１１２】
これを解決するため、この実施の形態の撮像装置においては、画像データが分類された日のない１５日から２８日までの２週間の期間についてはスキップ領域として、この期間の日付画像情報や分類結果を示す画像は表示しないようにする。今、図８に示す領域Ｒ１を図６に示したようにＬＣＤ８の表示画面に表示しているとする。
【０１１３】
この場合に、スクロールが指示された場合であって、次に表示すべき領域Ｒ２に含まれるどの日にも、画像が分類されていない場合には、領域Ｒ２に対応する２週間分の期間についてはスキップして、その期間のカレンダー情報および分類結果については表示しないようにする。このように、画像データを取り込む処理を行っておらず、画像が分類された日が全くない期間についてはスキップして表示しないようにし、そして、画像が分類された日が存在する領域が検出された場合に、その領域の分類結果を表示するようにする。
【０１１４】
したがって、図８に示した例の場合には、領域Ｒ１についての分類結果を表示した後、スクロールが指示された場合には、領域Ｒ２についてはスキップし、次の領域Ｒ３についての分類結果を表示するようにする。
【０１１５】
これにより、表示画面の大きさが限られたＬＣＤの表示画面を有効に活用し、記録媒体に記録されている画像についての分類結果をユーザーに対して迅速に提供でき、記録媒体に記録された画像から所望の画像を見つけるための時間の短縮を実現することができる。
【０１１６】
なお、この図８に示した例の場合、画像が分類されている３０日（火）の日付欄の表示位置を、ＬＣＤ８の表示画面上の一番左上に表示させるようにすることも可能である。しかし、より視覚的に日付関連画像のスクロール後の対応を分かりやすくするために、縦軸には同じ曜日が並ぶようにしている。
【０１１７】
[スクロール速度の制御について]
しかし、ＬＣＤ８の表示画面において、図８に示したように日付画像情報上の日付に、記録媒体に記録された画像が存在しない領域が存在するときはスクロールの際にスキップするようにしてもよいが、連続した日付画像情報が提供できなくなり、視覚的に日付画像情報を用いた利点が損なわれるおそれがある。
【０１１８】
つまり、カレンダーのように身近な日付情報と対応させて分類結果を表示したにも関わらず、スキップすることにより迅速に分類結果を提供することは可能になるが、カレンダーらしくない画像（単なる日付画像）が表示されるだけとなってしまうことにもなりかねない。
【０１１９】
そこで、画像が分類された日付を含まない領域についてもスキップせずに、その場合には、表示画像を視覚的に確認できる程度にスクロールの速度を速くすることによって、日付が途切れることなく、画像が分類されていない日をも含めて、カレンダーに対応する日付画像情報とともに、分類結果を表示するようにして、ユーザーに提供できるようにする。このようにすることにより、ユーザーに対して、カレンダー情報の意味をそこなうことなく、画像の分類結果を分かりやすい態様で提供し、違和感なく分類結果を認識できるようにすることが可能となる。
【０１２０】
以下、スクロール速度の調整について説明する。ここでは、図６に示したように、２週間分の日付画像情報とともに分類結果を表示する場合を例にして、表示画像のスクロール処理について説明する。まず、画像の一般的なスクロール処理について、図９を用いて説明する。
【０１２１】
一般に、画像のスクロールは、例えば、スクロールボタンスイッチ（以下、単にスクロールボタンという。）などの所定の操作ボタンを操作することにより行われる。図９Ａ、Ｂは、スクロールボタンの操作に応じてオン／オフが切り換えられるスクロールボタンのオン／オフ信号を示している。スクロールボタンのオン／オフ信号は、スクロールボタンが押下操作されている期間においてＯＮ（オン）となり、押下操作されていない期間においてはＯＦＦ（オフ）となるものである。
【０１２２】
この場合、図９Ａに示すように、スクロールボタンを押下操作し、所定時間内（図９Ａの例の場合には１秒以内。）に押下操作をやめると、１週分のスクロールが行われる。したがって、スクロールボタンの１秒以内の押下操作を繰り返すことにより、表示画像の１週分づつのスクロールが可能とされる。
【０１２３】
そして、スクロールボタンを押し続けた場合には、図９Ｂに示すように、所定時間経過後（図９Ｂの例の場合には押下操作開始から１秒経過後。）、所定時間毎（図９Ｂの例の場合には、０．２秒毎）に、１週分づつのスクロール（画像の移動）が連続的に行われる。このように、スクロールボタンを押し続けた場合には、所定時間経過後において、スクロールのオートリピートが行われる。
【０１２４】
しかし、図９を用いて説明した表示画像の一般的なスクロールの場合、画像を全く取り込まなかった日が連続する期間についても、画像が取り込まれた日がある期間と同じようにスクロールされるため、この場合には、上述したスキップ処理の場合とは逆に、目的とする画像の検索に時間がかかってしまうなどの不都合を生じる可能性がある。
【０１２５】
そこで、以下に説明するように、表示範囲内の画像データファイル（記録ファイル）数に応じて、スクロール速度を制御することにより、目的とする画像データファイルを素早く探し出すことを可能にする。また、この制御を行うことにより、結婚式、旅行等の重要なイベントの行われた日付に分類される画像データファイル数が多くなる傾向を利用して、それらのイベントの画像データファイルを探し出すことがより容易になる。
【０１２６】
[スクロール速度の制御の第１の例]
図１０は、図５を用いて説明した分類処理の結果の一例を示す図である。この図１０に示す例の場合、スクロールの単位となる各週毎の画像の記録枚数（画像データファイルの数）は、（ｂ）の週が５枚、（ｃ）の週が１１枚、（ｄ）の週が０枚、（ｅ）の週が０枚、（ｆ）の週が３枚、（ｇ）の週が１枚である。
【０１２７】
図１０に示した分類結果に基づいて、図１０において、四角で囲ったように、（ａ）、（ｂ）の２週間分の期間を表示した状態から、（ｇ）、（ｈ）の２週間分の期間を表示する状態まで正方向にスクロールする場合と、（ｇ）、（ｈ）の２週間分の期間を表示した状態から、（ａ）、（ｂ）の２週間分の期間を表示する状態まで逆方向にスクロールする場合であって、オートリピート機能により、自動的にスクロールする場合を考える。
【０１２８】
この例においては、スクロールボタンの押下操作から次の表示範囲移動で表示範囲外となる画像データファイル数Ｎに基づいて、スクロールのリピート間隔Ｔを演算により求める。換言すれば、正方向にスクロールする場合、現在表示中の最初の１週間分の期間に分類された画像データファイルの数に応じてリピート間隔を設定するようにし、現在表示中の最初の１週間分の期間に分類された画像データファイルの数が多いほど、リピート間隔を長くして、その週の分類結果を表示している時間を長くとるようにする。
【０１２９】
ここでは、スクロールボタンの押下操作から０．９秒後からオートリピート機能が動作するものとする。この場合、押下操作から０．９秒経過後のリピート間隔Ｔは、スクロールボタン押下から次の表示範囲移動で範囲外に出るファイル数をＮとしたとき、リピート間隔Ｔを
Ｔ＝Ｆ（Ｎ）＝０．１×（１＋Ｎ）      …（式１）
とする。
【０１３０】
したがって、（ｂ）の週が、次の表示範囲移動で表示範囲外となる週であるとすると、（ｂ）の週に分類された画像データファイルに数は、５枚であるので、（式１）に代入すると、Ｔ＝０．１×（１＋５）＝０．６秒となる。（ｃ）〜（ｆ）について同様に計算すると、（ｃ）の週の場合は、画像データファイル数Ｎが１１枚であるので、Ｔ＝１．２秒となり、（ｄ）、（ｅ）の週の場合が、画像データファイル数Ｎが０枚であるので、Ｔ＝０．１秒となる。また、（ｆ）の週の場合は、画像データファイル数Ｎが３枚であるので、Ｔ＝０．４秒となり、（ｇ）の週の場合は、画像データファイル数Ｎが１枚であるので、Ｔ＝０．２秒となる。
【０１３１】
したがって、（ａ）、（ｂ）の２週間分の期間を表示した状態から、（ｇ）、（ｈ）の２週間分の期間を表示する状態まで正方向にスクロールする場合には、スクロールボタン押下操作してから０．９秒後からのリピート間隔Ｔは、０．６秒→１．２秒→０．１秒→０．１秒→０．４秒（→０．２秒）と変化することとなり、これをスクロールボタンのオン／オフ信号に対応付けてプロットすると、図１１Ａに示すようになる。
【０１３２】
この図１１Ａに従えば、（ａ）、（ｂ）の２週間分の期間を表示した状態にあるときに、スクロールボタンを押下操作すると、即座に（ｂ）、（ｃ）の表示に変わり、０．９秒経過後のさらに０．６秒経過した時点（押下操作から１．５秒後の時点）において、（ｃ）、（ｄ）の表示に変わる。
【０１３３】
この後の１．２秒経過後の時点（押下操作から２．７秒後の時点）において、（ｄ）、（ｅ）の表示に変わり、（ｄ）、（ｅ）の週には、画像データは分類されていないので、０．１秒おきに、（ｅ）、（ｆ）の週を表示した後、（ｆ）、（ｇ）の週を表示し、この表示後の０．４秒後の時点（押下操作から３．３秒後の時点）において、（ｇ）、（ｈ）の表示に変わる。
【０１３４】
また、（ｇ）、（ｈ）の２週間分の期間を表示した状態から、（ａ）、（ｂ）の２週間分の期間を表示する状態まで逆方向にスクロールする場合には、上述した（ａ）、（ｂ）の表示から（ｇ）、（ｈ）の表示への正方向のスクロールの場合とはリピート間隔Ｔが逆になる。すなわち、この場合、スクロールボタンを押下操作した時点から０．９秒経過後以降のリピート間隔は、０．２秒→０．４秒→０．１秒→０．１秒→１．２秒（→０．６秒）となり、これをスクロールボタンのオン／オフ信号に対応付けてプロットすると、図１１Ｂに示すようになる。
【０１３５】
この図１１Ｂに従えば、（ｇ）、（ｈ）の２週間分の期間を表示した状態にあるときに、スクロールボタンを押下操作すると、即座に（ｆ）、（ｇ）の表示に変わり、０．９秒経過後のさらに０．２秒経過した時点（押下操作から１．１秒後の時点）において、（ｅ）、（ｆ）の表示に変わる。
【０１３６】
この後の０．４秒経過後の時点（押下操作から１．５秒後の時点）において、（ｄ）、（ｅ）の表示に変わり、（ｄ）、（ｅ）の週には、画像データは分類されていないので、０．１秒おきに、（ｃ）、（ｄ）の週を表示した後、（ｂ）、（ｃ）の週を表示し、この表示後の１．２秒後の時点（押下操作から２．９秒後の時点）において、（ａ）、（ｂ）の表示に変わる。
【０１３７】
図１１Ａ、Ｂに示したように、分類された画像データファイルが少ない週においては、スクロールの速度は速く、分類された画像データファイルが多い週においては、スクロールの速度を遅くすることができる。これにより、カレンダー情報を有効に活用することができるとともに、目的とする画像データの迅速かつ確実な検索が可能となる。
【０１３８】
[スクロール速度の制御の第２の例]
次に、表示単位である１週間分の期間に分類された画像データファイルの数（画像の枚数）が数十枚、あるいは、数百枚と多い場合について考える。図１２は、図５を用いて説明した分類処理の結果の一例を示す図である。この図１２に示す例の場合、スクロールの単位となる各週毎の画像の記録枚数（画像データファイルの数）は、（ｂ）の週が５枚、（ｃ）の週が１５０枚、（ｄ）の週が０枚、（ｅ）の週が０枚、（ｆ）の週が２０枚、（ｇ）の週が１０枚である。
【０１３９】
このように、分類された画像データファイルの数が非常に多い週が存在する場合には、リピート間隔Ｔを求める数式として、上述の（式１）をそのまま用いると、（ｃ）、（ｄ）の２週間分の期間の表示から（ｄ）、（ｅ）の２週間分の期間の表示に移る際に１５秒以上掛かってしまい、あまり実用的ではない。逆スクロールで（ｂ）、（ｃ）の２週間分の期間の表示から（ａ）、（ｂ）の２週間分の期間の表示に移る際も同様である。
【０１４０】
そこで、このスクロール速度の制御の第２の例においては、リピート間隔Ｔの計算式に、２を底とする対数関数を利用する。具体的には、上述したスクロール速度の制御の第１の例の場合と同様に、スクロールボタンの押下操作から０．９秒後からオートリピート機能が動作するものとする。そして、押下操作から０．９秒経過後のリピート間隔Ｔは、スクロールボタン押下から次の表示範囲移動で範囲外に出るファイル数をＮとしたとき、リピート間隔Ｔを
Ｔ＝Ｆ（Ｎ）＝０．１×（１＋ｌｏｇ２（Ｎ＋１））      …（式２）
とする。
【０１４１】
このように対数関数を用いることにより、実用的なスクロールタイミングが得られる。ここで、（式２）における対数関数は小数点以下を切り捨てるものとする。したがって、（ａ）、（ｂ）の２週間分の期間を表示した状態から、（ｇ）、（ｈ）の２週間分の期間を表示する状態まで正方向にスクロールする場合には、スクロールボタン押下操作してから０．９秒後からのリピート間隔Ｔは、０．３秒→０．８秒→０．１秒→０．１秒→０．５秒→（０．４秒）と変化することとなり、これをスクロールボタンのオン／オフ信号に対応付けてプロットすると、図１３Ａに示すようになる。
【０１４２】
この図１３Ａに従えば、（ａ）、（ｂ）の２週間分の期間を表示した状態にあるときに、スクロールボタンを押下操作すると、即座に（ｂ）、（ｃ）の表示に変わり、０．９秒経過後のさらに０．３秒経過した時点（押下操作から１．２秒後の時点）において、（ｃ）、（ｄ）の表示に変わる。
【０１４３】
この後の０．８秒経過後の時点（押下操作から２．０秒後の時点）において、（ｄ）、（ｅ）の表示に変わり、（ｄ）、（ｅ）の週には、画像データは分類されていないので、０．１秒おきに、（ｅ）、（ｆ）の週を表示した後、（ｆ）、（ｇ）の週を表示し、この表示後の０．５秒後の時点（押下操作から２．７秒後の時点）において、（ｇ）、（ｈ）の表示に変わる。
【０１４４】
また、（ｇ）、（ｈ）の２週間分の期間を表示した状態から、（ａ）、（ｂ）の２週間分の期間を表示する状態まで逆方向にスクロールする場合には、上述した（ａ）、（ｂ）の表示から（ｇ）、（ｈ）の表示への正方向のスクロールの場合とはリピート間隔Ｔが逆になる。すなわち、この場合、スクロールボタン押下操作した時点から０．９秒経過後以降のリピート間隔は、０．４秒→０．５秒→０．１秒→０．１秒→０．８秒（→０．３秒）となり、これをスクロールボタンのオン／オフ信号に対応付けてプロットすると、図１３Ｂに示すようになる。
【０１４５】
この図１３Ｂに従えば、（ｇ）、（ｈ）の２週間分の期間を表示した状態にあるときに、スクロールボタンを押下操作すると、即座に（ｆ）、（ｇ）の表示に変わり、０．９秒経過後のさらに０．４秒経過した時点（押下操作から１．３秒後の時点）において、（ｅ）、（ｆ）の表示に変わる。
【０１４６】
この後の０．５秒経過後の時点（押下操作から１．８秒後の時点）において、（ｄ）、（ｅ）の表示に変わり、（ｄ）、（ｅ）の週には、画像データは分類されていないので、０．１秒おきに、（ｃ）、（ｄ）の週を表示した後、（ｂ）、（ｃ）の週を表示し、この表示後の０．８秒後の時点（押下操作から２．８秒後の時点）において、（ａ）、（ｂ）の表示に変わる。
【０１４７】
図１３Ａ、Ｂに示したように、分類された画像データファイルが数十枚、数百枚と多い場合が発生しても、スクロールの速度を適度な速度とすることができるとともに、分類された画像データファイルが少ない週においては、スクロールの速度は速く、分類された画像データファイルが多い週においては、スクロールの速度を遅くすることができる。
【０１４８】
すなわち、分類された画像データが数十枚、数百枚と多くなった場合であっても、適切なスクロール速度で、分類結果を示す画像のスクロールを行うことができるので、カレンダー情報を有効に活用することができるとともに、目的とする画像データの迅速かつ確実な検索が可能となる。
【０１４９】
次に、上述した第１、第２のスクロール速度の制御の処理について、図１４のフローチャートを参照しながら具体的に説明する。すなわち、スクロール速度の制御の例として、第１の例と、第２の例とを説明したが、これらは、リピート間隔Ｔを求める演算式が異なるのみで、その他の処理部分はほぼ同様に行われることになる。
【０１５０】
スクロール速度の制御は、この実施の形態の撮像装置の制御部５によって行なわれる。分類結果がＬＣＤ８の表示画面に表示された後、制御部５のＣＰＵ５１は、操作部６のスクロールボタンが押下操作されたか否かを監視する（ステップＳ１０１）。
【０１５１】
ステップＳ１０１の判断処理において、スクロールボタンが押下操作されたと判断したときには、ＣＰＵ５１は、表示画像を指示された方向に１週間分スクロールさせる（ステップＳ１０２）。そして、この実施の形態の場合には、スクロールのオートリピート機能を有効にするまでのインターバル時間として、０．９秒間待つようにするために、タイマー（時計回路５４）に０．９秒を設定し、０．９秒間の期間の計測を開始する（ステップＳ１０３）。
【０１５２】
そして、スクロールボタンの押下操作が終了したか否かを判断し（ステップＳ１０４）、設定された０．９秒の間にスクロールボタンの押下操作が終了したと判断したときには、この図１４に示す処理を終了する。ステップＳ１０４の判断処理において、スクロールボタンの押下操作が継続していると判断したときには、ステップＳ１０３において設定したタイマーが、０．９秒の期間を計測し終えたか否か（スクロールボタンの押下操作の開始から０．９秒経過したか否か）を判断する（ステップＳ１０５）。
【０１５３】
ステップＳ１０５の判断処理において、スクロールボタンの押下操作の開始から０．９秒経過していないと判断したときには、ＣＰＵ５１は、ステップＳ１０４からの処理を繰り返す。ステップＳ１０５の判断処理において、スクロールボタンの押下操作の開始から０．９秒経過したと判断したときには、ＣＰＵ５１は、次の表示範囲の移動で表示範囲から出る画像データファイルの数をＮとし、例えば、（式１）、（式２）に示したように、予め決められた計算式にしたがって、リピート間隔Ｆ（Ｎ）秒を算出し、この算出した期間を計測するようにタイマーに設定する（ステップＳ１０６）。
【０１５４】
そして、ＣＰＵ５１は、再度、スクロールボタンの押下操作が終了したか否かを判断し（ステップＳ１０７）、スクロールボタンの押下操作が終了したと判断したときには、この図１４に示す処理を終了する。ステップＳ１０７の判断処理において、スクロールボタンの押下操作が継続していると判断したときには、ＣＰＵ５１は、ステップＳ１０６において設定したタイマーが、演算により求めたリピート期間Ｔの期間を計測し終えたか否かを判断する（ステップＳ１０８）。
【０１５５】
ステップＳ１０８の判断処理において、演算により求めたリピート期間Ｔの期間を計測し終えていないと判断したときには、ＣＰＵ５１は、ステップＳ１０７からの処理を繰り返すようにする。ステップＳ１０８の判断処理において、演算により求めたリピート期間Ｔの期間を計測し終えたと判断したときには、ＣＰＵ５１は、表示範囲を１週分、ユーザーにより指示された方向にスクロールし（ステップＳ１０９）、ステップＳ１０６からの処理を繰り返すようにする。
【０１５６】
このようにすることにより、上述もしたように、分類結果に応じて、適切なスクロール速度で、分類結果を表示する画像をスクロールさせ、目的とする画像を迅速に検索することができるようにされる。しかも、分類された画像が存在しない期間についても、スキップすることにより表示されなくなってしまうことはなく、短い時間であっても必ず表示するようにされるので、カレンダー情報を正確な態様で提供することができるようにされる。
【０１５７】
［スクロール速度の制御の他の例］
なお、リピート期間Ｔを算出するための計算式Ｆ（Ｎ）は、上述した（式１）、（式２）の他、（式１）に上限値、下限値を設けたもの、（式２）で対数関数の底として２以外を用いたものなど、様々なものを用いることができる。またユーザーの操作や自動的な処理によって種々の計算式Ｆ（Ｎ）を選択し、最適なものに切り換えて用いるようにしてもよい。
【０１５８】
また、（式２）の場合のパラメーターは画像枚数Ｎだけでなく、動画の場合は記録時間、ファイルの容量とすることも可能である。もちろん、パラメーターに応じて、（式２）の底の値を換えるようにしてもよい。また、対数関数ではなく、他の関数を用いるようにすることもできるし、スクロール速度の制御のために新たな関数を定義するようにしてもよい。
【０１５９】
つまり、分類された画像データの数Ｎが多くなるにしたがって、スクロール速度を遅くするようにする種々の関数を用いるようにすることができる。しかし、分類された画像データの数Ｎが多くなるにしたがって、スクロール速度が必要以上に遅くなってしまうことも考えられるので、スクロール速度の下限を予め設定しておくことにより、必要以上にスクロール速度が遅くならないようにすることができる。
【０１６０】
また、リピート間隔Ｔを求めるための関数は、線形となる値を取るものであっても、また、非線形となる値を取るものであってもよいことは言うまでもない。また、リピート間隔Ｔを０にした場合には、スクロール速度が無限大となり、上述したスキップの場合と同じ動作を得られることになる。
【０１６１】
また、上述した実施の形態においては、分類結果の表示画像のスクロールは、一週単位で行うものとして説明したが、これに限るものではない。表示画像を例えば画素単位など極小さな単位で連続的にスクロールさせるようにすることによって、スムーズなスクロール処理を行い、そのスクロールの速度をパラメーターで変化させるようにすることももちろんできる。
【０１６２】
また、上述した実施の形態においては、画像データファイルの数（画像枚数）などのパラメーターを決める範囲を「次の表示範囲移動で表示範囲外に出る画像の枚数」としたが、これに限るものではない。例えば、「次の表示範囲移動で表示範囲内に入る週に分類された画像の枚数」や「表示範囲全体の枚数」や「表示範囲外の近傍を含めて表示中心からの距離に応じて重み付け合計した枚数」等の予め決められる所定の範囲とするようにしてもよい。
【０１６３】
また、重み付けを行う場合、重み付けを工夫することによって連続的スクロールを採用した場合の速度変化自体をスムーズにして見やすくすることも可能である。つまり、表示の中心となる水平線を基準とし、表示の中心が基準に近い週については、重み付けを重くし、基準から離れるにしたがって重み付けを軽くすることにより、枚数の多い週の表示の中心が基準から遠い場合には、スクロール速度を速くし、基準に近くなってきた場合には、スクロール速度を遅くするようにすることができる。
【０１６４】
この重み付けによるスクロール速度の制御について、図１５〜図１７の図を参照しながら具体的に説明する。図１５Ａに示すように、０週（第１の週）から４週（第５の週）までの５週分の分類結果の画像情報があり、上述の実施の形態の場合と同様に、１画面中に２週分の分類結果の画像情報の表示を行うようにする場合について考える。
【０１６５】
図１５Ａにおいて、０週から４週までの各週に分類された画像の枚数をＮ０、Ｎ１、Ｎ２，Ｎ３、Ｎ４とする。また、図１５Ａにおいて、太線で囲んだ部分が、表示画面Ｇに表示されている分類結果の画像情報であり、時刻Ｔ０においての表示部分である。
【０１６６】
そして、図１５Ａに示した時点Ｔ０における表示状態から、図１５Ｂに示すように、時点Ｔ１においての表示となるように、表示画面Ｇの表示内容をスクロールさせる場合においては、図１５Ｂに示すように、表示画面Ｇの水平方向の中心線（表示画面Ｇを上下に分割する水平線）の位置を基準位置とし、各週の分類結果の表示画像の水平方向の中心となる位置（各週の表示画像の中心）までの距離ｄ０、ｄ１、ｄ２、ｄ３、ｄ４を求める。なお、図１５Ｂにおいては、各週の分類結果の表示画像の水平方向の中心を点線で示している。
【０１６７】
そして、表示画面Ｇの中心線から各週の分類結果の表示画像の中心までの距離ｄ０、ｄ１、ｄ２、ｄ３、ｄ４と、各週に分類された画像の枚数Ｎ０、Ｎ１、Ｎ２，Ｎ３、Ｎ４とに基づいて、スクロール速度を制御するようにする。具体的には、図１６に示すように、基準位置からの距離ｄが大きくなるにしたがって減少する単調減少関数ｆ（ｄ）を定義しておき、この関数ｆ（ｄ）によって与えられる値を重み付けの係数ｗとする。なお、図１６に示したｆ（ｄ）は、連続する単調減少関数以外に、距離ｄの範囲に応じて一定の係数ｗをとるステップ関数でもよい。
【０１６８】
そして、図１７に示した（式３）により、現在、分類結果が表示されている週の近傍にある週に分類された画像の枚数と、図１５Ｂに示した基準位置である表示画面Ｇの中心線から各週の分類結果の表示画像の水平方向の中心となる位置（各週の表示の中心）までの距離とに応じて得られる値Ｘを求める。この値Ｘは、いわば、重み付けされた画像量と言える。そして、図１７の（式４）に示すように、図１７の（式３）と上述した（式１）または（式２）により求めた値Ｆ（Ｘ）の逆数をスクロール速度Ｖとして用いるようにする。なお、図１７の（式３）にも示したように、（式３）における記号シグマについてのパラメーターｉは、この例の場合には、１〜４となっている。
【０１６９】
このようにすることによって、現在、分類結果が表示されている週の近傍にある週に分類された画像の枚数と、表示画面Ｇの水平方向の中心から、処理の対象となる隣接する各週の表示画像の中心までの距離とに応じて、画像のスクロール速度を制御することができ、より円滑なスクロール処理が可能となる。
【０１７０】
なお、ここでは、１画面中に２週間分の分類結果の表示画像を表示する場合を例にして説明したが、これに限るものではなく、より多くの情報を表示する場合であっても、この方式を用いることができるし、処理の対象とする範囲を５週分でなく、これより多くしたり、また少なくしたりすることもできる。
【０１７１】
なお、上述の説明からも明らかなように、この実施の形態において説明した撮像装置の例の場合には、制御部５により分類手段、検出手段としての機能を実現するとともに、制御部５とＬＣＤコントローラ７とにより表示制御手段としての機能を実現している。
【０１７２】
また、操作部６と制御部５により指示手段の機能を実現し、さらに、カメラ部１とカメラＤＳＰ２とにより撮像手段を、また、外部Ｉ／Ｆ９および制御部５が外部からの画像データを受け付けて、これを記録媒体に記録するようにする受付手段を実現するようにしている。
【０１７３】
［適用可能な電子機器について］
また、上述した実施の形態においては、この発明を静止画像と動画像の撮影が可能なデジタルカメラに適用した場合を例にして説明したが、これに限るものではない。例えば、静止画像を撮影するためのデジタルスチルカメラや、動画像を撮影するためのデジタルビデオカメラ、カメラ付き携帯電話端末、ＰＤＡ（Personal Digital Assistants）などと呼ばれる携帯情報端末、あるいは、パーソナルコンピュータなどの各種の電子機器にこの発明を適用することができる。
【０１７４】
つまり、上述した実施の形態のデジタルカメラのように、自機において独自に情報を取り込んで、それをデジタルデータとして記録媒体に記録する機能と、外部機器やネットワークを通じて、デジタルデータの提供を受けて、これを記録媒体に記録する機能とを備えた電子機器であれば、この発明を適用することができる。
【０１７５】
したがって、取り込んで記録媒体に記録し、分類対象となるデジタルデータは、画像データに限るものではなく、テキストデータやプログラムデータ等、画像データ以外の種々のデジタルデータを取り扱う場合に、この発明を適用することができる。
【０１７６】
そして、例えば、カメラ付き携帯電話端末の場合、搭載されたＬＣＤや有機ＥＬ素子などの表示素子の表示画面は、比較的に小さいので、上述した実施の形態のように、カレンダー情報とともに、分類結果を表示することが困難な場合もある。そこで、カメラ付き携帯電話端末等の表示画面の小さな表示素子しか持たない電子機器の場合には、分類処理は、上述した実施の形態のデジタルカメラの場合と同様に行うが、分類結果の表示は、日付情報を基準に行うようにする。
【０１７７】
すなわち、カメラ付き携帯電話端末においても、自機において撮影して記録媒体に記録した画像データ、あるいは、外部機器やネットワークを通じて取得した画像データについては、記録媒体にファイルとして記録し、これにオリジナル記録ファイルフラグ、撮影日時情報、取得日時情報としても用いる修正日時情報等の管理情報を付随させて管理するようにする。
【０１７８】
この場合の管理方式は、図２を用いて説明した、サムネイルデータを含め、同一ファイル内において一体的に管理する方式と、図３、図４を用いて説明した、管理情報を画像データファイルとは別個のファイルにおいて管理する方式のいずれをも用いることも可能である。ここでは、図３、図４を用いて説明した、管理情報を画像データファイルとは別個のファイルにおいて管理する方式を用いている場合を想定して説明する。
【０１７９】
図１８は、カメラ付き携帯電話端末にこの発明を適用した場合であって、当該カメラ付き携帯電話端末の表示素子の表示画面Ｇに表示される分類結果の表示態様を説明するための図である。図１８Ａは、分類結果を表示する最初の画面表示であり、分類された画像データが存在する日付、すなわち、カメラ機能を用いて画像を撮影したり、外部機器やネットワークを通じて画像を取得したりして、当該カメラ付き携帯電話端末の記録媒体に画像データを記録した日付の一覧表示がされた場合を示している。
【０１８０】
図１８Ａにおいて、表示画面Ｇの上端部、下端部に表示された矢印は、カメラ付き携帯電話端末の十字キーや矢印キーにより表示日付（表示範囲）を変更する際に、操作可能な方向を示すアイコンである。つまり、図１８Ａに示した状態は、その前後にまだデータが存在していることを示している。
【０１８１】
そして、カメラ付き携帯電話端末の十字キーや矢印キーを操作することにより、目的とする日付表示にカーソルＣＳ１を位置付け、決定キーを操作することにより、目的とする日付を選択すると、当該カメラ付き携帯電話端末の表示画面Ｇには、図１８Ｂに示すように、選択された日に撮影されて、あるいは、ネットワーク等を通じて外部から取得されて、当該カメラ付き携帯電話端末の記録媒体に記録されている画像データファイルのタイトル名の一覧表示がされる。
【０１８２】
ここで、表示されるタイトル名は、タイトルエントリとして、記録されているテキストデータに基づく表示を行う。また、同日に、撮影されて記録された画像データファイルと、ネットワークなどを通じて外部から取得された画像データファイルとの両方が混在する場合もあるが、これらは、分類時に用いるようにしたオリジナル記録ファイルフラグにより明確に区別することができる。そこで、この例においては、ネットワーク等を通じて外部から取得された記録媒体に記録された画像データファイルには、図１８Ｂに示すように、マークＭＫを付し、区別することができるようにしている。
【０１８３】
そして、日付の選択を行った場合と同様に、カメラ付き携帯電話端末の十字キーや矢印キーを操作することにより、目的とする画像データファイルのファイル名にカーソルＣＳ２を位置付け、決定キーを操作することにより、目的とする画像データファイルを選択すると、当該カメラ付き携帯電話端末の表示画面Ｇには、図１８Ｃに示すように、選択された画像データファイルの画像データにより形成される画像が、表示画面Ｇの大きさに応じた大きさおよび解像度で表示され、目的とする画像を確認することができる。
【０１８４】
このように、カメラ付き携帯電話端末において、自機において撮影することにより得た画像データについては撮影日を分類キーとして用い、また、ネットワーク等を通じて外部から取得した画像データについては、当該カメラ付き携帯電話端末における取得日を分類キーとして用いて分類する。
【０１８５】
したがって、いずれの場合にも、当該カメラ付き携帯電話端末のユーザーが関知する、当該カメラ付き携帯電話端末において、画像データを取得して最初に記録媒体に記録した日付を用いて分類することができるので、外部から提供を受けた画像データが予期しない日付に分類され、目的とする画像の検索に時間がかかってしまうなどという不都合を生じさせないことができる。
【０１８６】
また、表示素子の表示画面の大きさが小さいために、カレンダー情報とともに分類結果を表示することが困難な場合であっても、分類キーとして用いた（分類処理の基準として用いた）日付情報を基準として分類結果を表示して提供するようにすることができるので、目的とする画像の検索に時間がかかるなどの不都合を防止することが可能である。
【０１８７】
このように、分類結果をユーザーに通知するための表示態様は、カレンダー情報とともにする場合に限るものではなく、少なくとも、何らかの日付画像情報とともに分類結果を表示するようにする種々の表示態様を用いることが可能である。
【０１８８】
したがって、
撮影することにより得た画像データについては撮影日を用い、外部から提供された画像データについては受信日を用いて分類処理を行い、
分類された画像データの撮影日または受信日を示す情報を分類結果として表示素子に表示する情報処理装置を構成することができる。
【０１８９】
また、分類結果として表示された撮影日または受信日を示す情報の中から、目的とする情報を指示するようにする指示手段を有し、
当該指示手段により指示された情報により特定される日に分類された画像データに関連する画像関連情報を、撮影日または受信日のどちらに基づいて分類された画像データについてのものであるかを区別して表示するようにする情報処理装置を構成することができる。
【０１９０】
また、目的とする画像データに関連する画像関連情報を指示する第２の指示手段を有し、
当該第２の指示手段により指示された画像関連情報に対応する画像データによる画像を表示素子の表示領域に応じた解像度で表示するようにする情報処理装置を構成することもできる。
【０１９１】
なお、カメラ付き携帯電話端末の構成は、図１に示したデジタルカメラの構成に加え、送受信アンテナ、アンテナ共用器、受信した信号を復調し、デコードする受信回路、受信回路に接続される受話器（スピーカ）、送話器（マイクロホン）、送話器からの音声信号をエンコードするとともに、変調して送信信号を形成する送信回路を備えたものとなる。
【０１９２】
もちろん、画像データやテキストデータを受信回路を含む受信系を通じて受信し、これを記録媒体に記録したり、操作部を通じて入力されたテキストデータや記録媒体に記録されている画像データを送信回路を含む送信系を通じて目的とする相手先に送信したりすることもできるようにされる。
【０１９３】
つまり、携帯電話端末の場合には、自機の受信系を通じて、外部から画像データ等の種々のデータの提供を受け、これを自機の記録媒体に記録して利用することができるようにされ、このようにして取り込んだデータと、自機において作成したデータとを同じ基準を用いて分類することができる。
【０１９４】
なお、上述した実施の形態においては、外部から取得した画像データについては、必ず自機においての取得日時に基づいて分類を行うものとして説明したが、これに限るものではない。例えば、自分が出席した結婚式の写真を電子メールで貰ったり、自分が参加した旅行の写真の画像データを友人から貰ったりする場合がある。
【０１９５】
このような場合には、ユーザーの用いるデジタルカメラなどの電子機器における取得日よりも、実際の撮影日を用いたほうが検索しやすい場合がある。そこで、外部から取得した画像データについては、分類処理に、取得日時を用いるか、撮影日を用いるかの切り換えをできるようにしておくことにより、外部から提供を受けた画像データについても撮影日時、つまり実際の作成日時に基づいて分類処理を行うようにすることができる。
【０１９６】
また、上述した実施の形態においては、修正日時情報を取得日時情報として用いるものとして説明したが、これに限るものではない。修正日時情報とは別個に取得日時情報をも持つようにしてももちろんよい。このようにすることにより、自機において撮影することにより得た画像データと、外部から提供を受けた画像データとの両方について、取得日時情報を用いて分類処理を行うようにすることも可能である。
【０１９７】
また、上述した実施の形態においては、画像が多く分類された週がある部分では、スクロールの速度を遅くするように制御する場合を説明したが、これに限るものではない。例えば、目的とする日付の存在する週まで、迅速にスクロールさせるようにしたい場合もある。このような場合には、画像が多く分類されている週がある部分ではより速くスクロールをさせるように制御することも可能可能である。このように、幾つかのスクロールモードを持つようにし、これをユーザーが目的とするスクロールモードに切り換えるようにしてもよい。
【０１９８】
なお、上述もしたように、この発明は、画像データだけでなく、種々のデジタルデータを処理する場合に適用可能であり、画像データ以外のデータを処理する場合には、撮影日時は、そのデータを最初に作成した作成日時が用いられることになる。
【０１９９】
また、上述の実施の形態においては、分類結果を日付単位に表示するようにしたが、これに限るものではなく、週単位、月単位、あるいは、２日単位、３日単位などの所定の期間単位にその分類結果を表示して提供するなどしてももちろんよい。
【０２００】
また、画像データ等の分類処理の対象となるデータについての管理情報の管理方式も、上述した例に限るものではなく、各管理情報毎に、別々のファイルで管理するようにするなど、種々の方式、態様を用いるようにすることが可能である。
【図面の簡単な説明】
【０２０１】
【図１】この発明による情報処理装置の一実施の形態が適用されたデジタルカメラを説明するためのブロック図である。
【図２】画像データとその管理情報とを一体に管理する方式を説明するための図である。
【図３】画像データについての管理情報を画像データファイルとは分離して一括管理する方式について説明するための図である。
【図４】図３に示したＡＶ管理情報の一例を説明するための図である。
【図５】記録媒体にファイルとして記録されている画像データを撮影日時情報に基づいて分類する際の一連の処理の流れについて説明するためのフローチャートである。
【図６】日付画像情報（カレンダー情報）上に分類結果を表示するようにした分類結果提供画像の一例を説明するための図である。
【図７】日付欄に分類されている画像を確認する場合の画像の表示例を説明するための図である。
【図８】画像データの分類結果と表示のスキップ処理について説明するための図である。
【図９】画像の一般的なスクロール処理について説明するための図である。
【図１０】画像データの分類結果とスクロール速度の制御処理の一例を説明するための図である。
【図１１】スクロール速度の制御処理の一例を説明するための図である。
【図１２】画像データの分類結果とスクロール速度の制御処理の他の例を説明するための図である。
【図１３】スクロール速度の制御処理の他の例を説明するための図である。
【図１４】スクロール速度の制御処理を説明するためのフローチャートである。
【図１５】重み付けを考慮したスクロール速度の制御について説明するための図である。
【図１６】重み付けを考慮したスクロール速度の制御について説明するための図である。
【図１７】重み付けを考慮したスクロール速度の制御を行う場合に用いる計算式の一例を示す図である。
【図１８】表示素子の表示画面Ｇに表示される分類結果の表示態様を説明するための図である。
【符号の説明】
【０２０２】
１…カメラ部、２…カメラＤＳＰ、３…ＳＤＲＡＭ、４…媒体Ｉ／Ｆ、５…制御部、５１…ＣＰＵ、５２…ＲＡＭ、５３…フラッシュＲＯＭ、５４…時計回路、５５…システムバス、６…操作部、７…ＬＣＤコントローラ、８…ＬＣＤ，９…外部Ｉ／Ｆ、１０…記録媒体
【図１】
2006236381.tif 000003
【図２】
2006236381.tif 000004
【図３】
2006236381.tif 000005
【図４】
2006236381.tif 000006
【図５】
2006236381.tif 000007
【図６】
2006236381.tif 000008
【図７】
2006236381.tif 000009
【図８】
2006236381.tif 000010
【図９】
2006236381.tif 000011
【図１０】
2006236381.tif 000012
【図１１】
2006236381.tif 000013
【図１２】
2006236381.tif 000014
【図１３】
2006236381.tif 000015
【図１４】
2006236381.tif 000016
【図１５】
2006236381.tif 000017
【図１６】
2006236381.tif 000018
【図１７】
2006236381.tif 000019
【図１８】
2006236381.tif 000020